(57)【要約】      （修正有）【課題】従来の模様付き反射材は単に反射するのみであるため、反射発光機能以外に特定の情報を入れた反射シートを提供する。【解決手段】再帰性の反射基面２に、黒色インクによってハートやクローバーなどの模様を数多く表示した通常模様３の一部に、所轄警察署の郵便番号と警察の緊急電話番号を表示し、さらに少し離して製造年月日と管理番号を記した特定情報数字４を表示してなる反射シート１を構成する。【選択図】図２
0003142534.tif 000002
【実用新案登録請求の範囲】
【請求項１】
反射シートの反射基面に数多くの通常模様を表示してなる一部に、所轄警察署の郵便番号と、警察の緊急電話番号と、管理番号による特定情報数字を表示した構成を特徴とする反射面に特定情報を表示した交通安全反射シート。
【請求項２】
前記する反射シートの特定情報数字とともに、自治体マークによる特定情報マークを表示してなる請求項１に記載する反射面に特定情報を表示した交通安全反射シート。
【考案の詳細な説明】
【技術分野】
【０００１】  本考案は、反射シート面に表示する模様の中に、特定の情報を含む数字やマークを表示することにより、遠い所で事故に遭ったり、身元不明の徘徊者でも居住地を特定しやすい反射シールに関する。
【背景技術】
【０００２】  従来の反射シートは、銀色無地の反射シートの他に、より反射を際立たせるために、反射シート面に非反射性顔料（以下、インクと称する）よる数多くの図柄や格子模様などを施した装飾性を有する再帰性反射シートがある。【０００３】  さらに、交通事故防止のために自転車や乳母車のカバー又は衣服に貼ることで、薄暗い朝晩や無灯火の中でも存在を確認でき、かつ夜間における自動車のヘッドライトを効果的に反射させられるために、再帰性反射シートに蛍光物質よる顔料で図柄模様を表示した存在確認ラベルの技術がある。（例えば、特許文献１参照）
【特許文献１】登録実用新案第３０２０５０２号
【考案が解決しようとする課題】
【０００４】  以上のような反射シートがあり、前記する全面が反射するタイプは効果は高いが、反射材特有の色が目立ち過ぎて嫌う傾向があるため、模様や図柄を黒色インクで施した反射シートが多くなっており、このタイプは前記のインク部分を除いた反射面が際立つように反射発光する効果や装飾性があるが、それ以上の機能が無いうえコスト高になる。
【０００５】  また、登録実用新案第３０２０５０２号による技術は、再帰性反射シート面に蓄光剤と蛍光物質を含む顔料による図柄模様を施すことで、光の無い中でも発光し、かつヘッドライトでも発光する反射ラベルの技術である。しかし、蓄光剤や蛍光物質による顔料は一定時間光を当てないと発光する力も弱いうえ、まして図柄模様が小さいと遠くからだとほとんど分からないなどの不便や欠点がある。しかも、蓄光剤や蛍光物質を含むインクはコスト高でもあり、いずれも装飾性を主とする反射シートであって、それ以上の機能や効果を有するものは無かった。
【課題を解決するための手段】
【０００６】  本考案は、前記する従来の反射シートの持つ不便や欠点を解消し、かつ、この反射シートによる反射シールを付けた人物の居住地が容易に判明するために、請求項１においては、反射シートの反射基面に数多くの通常模様を表示してなる一部に、所轄警察署の郵便番号と、警察の緊急電話番号と、管理番号による特定情報数字を表示した反射シートとすることで、身元不明者の居住地を容易に知ることができる反射面に特定情報を表示した交通安全反射シートとする。
【０００７】  請求項２においては、前記する反射シートの特定情報数字とともに、自治体マークによる特定情報マークを表示することにより、マークの図柄でも居住地が判明する反射面に特定情報を表示した交通安全反射シートとする。
【考案の効果】
【０００８】  本考案による反射シートの第１実施形態においては、反射面全体に様々な通常模様を施した一部に、小さな文字で所轄警察署の郵便番号や警察の緊急電話番号１１０の数字、製造年月日、管理番号を表示しているので、一見したところは模様のように見えるユニークな反射シールであるが、再帰性高輝度反射による効果により、従来と変わらない高い交通安全防止効果を得られる反射シールである。
【０００９】  加えて、反射シール面に施した通常模様の一部に表示した特定情報数字は小さいが、拡レンズで見ると、この反射シールの配布地である所轄警察署の郵便番号や警察の緊急電話１１０の数字、製造年月日、管理番号を表示しているので、この反射シールをカバンや手荷物に貼ったり衣服に付けていると、迷子の子供や徘徊者など身元が分かりにくい場合であったり、また居住地以外で事故に遭ったり、病気で倒れた時に身分を証明するものを身に付けていなくても、あらかじめ特定情報数字を登録した全国の警察や消防署、行政機関に照会すれば、速やかにどこに居住する者であるか判明できるなど、従来には見られない人命救助効果がある反射シートを提供する。
【００１０】  さらに第２実施形態による反射シートは、特定情報数字に加えて、全国の自治体のマークによる特定情報マークを表示しているので、数字より一層模様に見えるが、関係者が見ればマークで居住地が判明できる。尚、特定情報数字や特定情報マークは小さいことと、暗号的な表示であるため、関係者以外に個人情報を簡単に知られる心配は無いなどユニークにして機能的な反射シートである。
【考案を実施するための最良の形態】
【００１１】  本考案による反射シートの第１の実施形態を、図１に示す平面図と図２に示す拡大平面図、図３に示す要部拡大図、図４に示す切り取り反射シールの参考図で説明する。
第１実施形態による反射シート１は、裏面に剥離紙付き接着剤（図示しない）を施したものとし、かつ反射基面２にはハートやクローバー、ダイヤなどの通常模様３（以下、柄、記号、格子なども通常模様と称す）を表示した一部に特定情報数字４を表示するものであって、まず高輝度反射性を有する再帰性の反射基面２に、黒色インクによってハートやクローバーなどの図柄模様を数多く表示した通常模様３の一部に、この反射シート１を配布した所轄警察署の郵便番号５となる１２０００３４を表示し、次にハイフォンの代わりの０の数字を挟んで警察署の電話番号６を１１０（代表番号でも可）と表示する。さらに少し離して製造年月日７の０８０２と、ハイフォンに代わる０の次に管理番号８を１００００と記してなる特定情報数字４を表示した反射シート１を形成し、その反射シート１面に反射シール９として切り取れる楕円状の切り取り目１０を施してなる構成とする。【００１２】  第１実施形態による反射シート１は、高輝度再帰性反射材として交通安全防止効果を得られるとともに、反射基面２に様々な模様を施した通常模様３の一部に、この反射シール９の配布地域の所轄警察署の郵便番号５と警察の緊急電話番号６の順に表示し、その隣に反射シート１の製造年月日７と管理番号８などの特定情報数字４を表示した反射シート１であるので、切り取られた反射シール９を荷物や衣服に貼り付けた人物がどこのだれであるかは、関係者が所轄の警察署や消防署に照会すれば人物の居住地が特定できる反射シール９である。ちなみに図面の特定情報数字４の左側に表示した１２０００３４０１１０は、左から東京都足立区の所轄警察署の郵便番号５は１２０００３４であり、さらにハイフォンに代わる０を挟んで警察の緊急電話番号６は１１０とし、少し離して製造年月日７とハイフォンに代る０を挟んで管理番号８を記した特定情報数字４を表示しているので、この反射シール９を付けた子供や徘徊者が見つかった場合、関係者は暗号表記となる特定情報数字４を、直接東京都足立区の警察署や消防署又は他の指定機関に徘徊者などの届け出がないか問い合わせ、届け出があれば速やかに判明する反射シール９となる。さらに管理番号８は、製造した会社がこの反射シール９を判別するための番号であり、この番号からも知ることができる。【００１３】  次に、第２実施形態による反射シートを説明する。【００１４】  第２の実施形態による反射シートを図５に示す要部拡大平面図で説明する。
第２実施形態による反射シート１は、前記第１実施形態と同様に再帰性の反射シート１の反射基面２面に数多くの通常模様３を表示し、その一部に、前記第１実施形態と同様の特定情報数字４を表示した一部に、都道府県市区町村の自治体マーク、例えば東京都のマーク１１、足立区のマーク１２及び千住の千の文字１３を表記した特定情報マーク１４を表示してなる反射シート１面に、反射シール９として切り離せる切り取り目１０を施した反射シート１を構成する。【００１５】  第２実施形態による反射シート１は、通常模様３の一部に特定情報数字４とともに、全国の自治体マークによる特定情報マーク１４を表示しているので、図柄マークでも分かりやすく、特定情報数字４の見間違い防止をしてさらに正確に特定できる。【００１６】  本考案の反射シート１における通常模様３はハートやダイヤなどの図柄であるが、格子模様や他のいずれの模様であっても差し支えないし、模様のインクも黒色以外でもよい。また、その一部に表示する特定情報数字４における警察の緊急電話番号は１１０と表示しているが、１１０に代えて代表番号でも構わない。さらにハイフォンの代わりに０を入れているが、統一されるなら他の数字や模様でもよい。また第２実施形態による特定情報マーク１４の次に、さらに細かい地区名の千の文字を表示しているが、これは無くて差し支い。加えて特定情報マーク１４は、各自治体のマークを対象としているが、統一されたマークであれば他のマークでもよいものであり、いずれも特に限定するものではない。
【図面の簡単な説明】
【００１７】
【図１】本考案の第１実施形態を示す平面図である。
【図２】第１実施形態の反射シートを示す拡大平面図である。
【図３】第１実施形態の反射シートの要部を示す拡大平面図である。
【図４】第１実施形態の反射シートから切り離した反射シールの参考図である。
【図５】第２の実施形態の反射シートの要部を示す拡大平面図である。
【符号の説明】
【００１８】１  反射シート
２  反射基面
３  通常模様
４  特定数情報数字
５  所轄警察署の郵便番号
６  警察の緊急電話番号
７  製造年月日
８  管理番号
９  反射シール
１０  切り取り目
１１  東京都のマーク
１２  足立区のマーク
１３  千住の千の文字
１４  特定情報マーク
【図１】
0003142534.tif 000003
【図２】
0003142534.tif 000004
【図３】
0003142534.tif 000005
【図４】
0003142534.tif 000006
【図５】
0003142534.tif 000007